(57)【要約】      （修正有）【課題】保温効果と低温火傷の防止を両立させる湯たんぽ袋を提供する。【解決手段】上側と下側が異なる材質で構成されることを特徴とする。内袋と外袋の二重構造であり、上側または下側の一方、またはそれぞれの内袋と外袋の間に、断熱シートや綿状の繊維を挿入する。【選択図】図１
0003152325.tif 000002
【実用新案登録請求の範囲】
【請求項１】
湯たんぽを挿入した使用状態で湯たんぽ袋の上側と下側を異なる材質で構成した湯たんぽ袋。
【請求項２】
内袋と外袋の二重構造になった湯たんぽ袋において、湯たんぽを挿入した使用状態で湯たんぽ袋の上側または下側の一方の内袋と外袋の間に断熱シートを挿入した請求項１記載の湯たんぽ袋。
【請求項３】
内袋と外袋の二重構造になった湯たんぽ袋において、湯たんぽを挿入した使用状態で湯たんぽ袋の上側または下側の一方の内袋と外袋の間に断熱シートとその外部にシートと接するように綿状の繊維を挿入した請求項１記載の湯たんぽ袋。
【請求項４】
内袋と外袋の二重構造になった湯たんぽ袋において、湯たんぽを挿入した使用状態で湯たんぽ袋の上側と下側のそれぞれの内袋と外袋の間に厚さの異なる断熱シートを挿入した請求項１記載の湯たんぽ袋。
【請求項５】
内袋と外袋の二重構造になった湯たんぽ袋において、湯たんぽを挿入した使用状態で湯たんぽ袋の上側と下側のそれぞれの内袋と外袋の間に厚さの異なる断熱シートを挿入し、さらに、各断熱シートの外部にシートに接するように綿状の繊維を挿入した請求項１記載の湯たんぽ袋。
【請求項６】
内袋と外袋の二重構造になった湯たんぽ袋において、湯たんぽを挿入した使用状態で湯たんぽ袋の上側または下側の一方の内袋と外袋の間に穴のあいた断熱シートを挿入した請求項１記載の湯たんぽ袋。
【請求項７】
内袋と外袋の二重構造になった湯たんぽ袋において、湯たんぽを挿入した使用状態で湯たんぽ袋の上側または下側の一方の内袋と外袋の間に穴のあいた断熱シートとその外部にシートに接するように綿状の繊維を挿入した請求項１記載の湯たんぽ袋。
【請求項８】
内袋と外袋の二重構造になった湯たんぽ袋において、湯たんぽを挿入した使用状態で湯たんぽ袋の上側と下側のそれぞれの内袋と外袋の間に異なる数の穴のあいた断熱シートを挿入した請求項１記載の湯たんぽ袋。
【請求項９】
内袋と外袋の二重構造になった湯たんぽ袋において、湯たんぽを挿入した使用状態で湯たんぽ袋の上側と下側のそれぞれの内袋と外袋の間に異なる数の穴のあいた断熱シートを挿入し、さらに、各断熱シートの外部にシートに接するように綿状の繊維を挿入した請求項１記載の湯たんぽ袋。
【請求項１０】
内袋と外袋の二重構造になった湯たんぽ袋において、湯たんぽを挿入した使用状態で湯たんぽ袋の上側または下側の一方の内袋と外袋の間に断熱シートを挿入し、他方の内袋と外袋の間に綿状の繊維をそれぞれ挿入した請求項１記載の湯たんぽ袋。
【請求項１１】
内袋と外袋の二重構造になった湯たんぽ袋において、湯たんぽを挿入した使用状態で湯たんぽ袋の上側または下側の一方の内袋と外袋の間に断熱シートとその外部にシートに接するように綿状の繊維を挿入し、他方の内袋と外袋の間に断熱シートを挿入した請求項１記載の湯たんぽ袋。
【請求項１２】
内袋と外袋の二重構造になった湯たんぽ袋において、湯たんぽを挿入した使用状態で湯たんぽ袋の上側または下側の一方の内袋と外袋の間に穴のあいた断熱シートとその外部にシートに接するように綿状の繊維を挿入し、他方の内袋と外袋の間に断熱シートを挿入した請求項１記載の湯たんぽ袋。
【考案の詳細な説明】
【技術分野】
【０００１】  湯たんぽ袋に関する考案である。
【背景技術】
【０００２】  従来の湯たんぽ袋は、湯たんぽ全体を同一な材質で覆うものが主流であった。
【考案の概要】
【考案が解決しようとする課題】
【０００３】  従来の湯たんぽ袋は、一般的に全体を同一材質で覆っているため、熱がどの方向にも同じように放出され、保温効果と低温火傷の防止を両立させることは、困難であった。
【課題を解決するための手段】
【０００４】  本考案は、湯たんぽを挿入した使用状態で湯たんぽ袋の上側と下側を異なる材質で構成した湯たんぽ袋である。
【考案の効果】
【０００５】  本考案である湯たんぽ袋は湯たんぽを挿入した使用状態で上側と下側とで材質が異なるため、その中に挿入された湯たんぽの熱の放出量は、袋の上側と下側とで異なる。また、内袋と外袋の二重構造になった本考案である湯たんぽ袋において、湯たんぽを挿入した使用状態で上側または下側の一方の内袋と外袋の間に断熱効果の大きい断熱素材を挿入すれば、他方の面からのみ熱を放出させることができる。
【図面の簡単な説明】
【０００６】
【図１】    湯たんぽ袋の斜視図である。
【図２】    湯たんぽ袋の片面の内袋と外袋の間に断熱シートを挿入した湯たんぽ袋の断面図である。
【図３】    湯たんぽ袋の片面の内袋と外袋の間に断熱シートと綿状の繊維を挿入した湯たんぽ袋の断面図である。
【図４】    湯たんぽ袋の両面の内袋と外袋の間に厚さの異なる断熱シートをそれぞれ挿入した湯たんぽ袋の断面図である。
【図５】    湯たんぽ袋の両面の内袋と外袋の間に厚さの異なる断熱シートと綿状の繊維を挿入した湯たんぽ袋の断面図である。
【図６】    湯たんぽ袋の片面の内袋と外袋の間に穴のあいた断熱シートを挿入した湯たんぽ袋の断面図である。
【図７】    湯たんぽ袋の片面の内袋と外袋の間に穴のあいた断熱シートと綿状の繊維を挿入した湯たんぽ袋の断面図である。
【図８】    湯たんぽ袋の両面の内袋と外袋の間に穴の数が異なる断熱シートをそれぞれ挿入した湯たんぽ袋の断面図である。
【図９】    湯たんぽ袋の両面の内袋と外袋の間に穴の数が異なる断熱シートと綿状の繊維を挿入した湯たんぽ袋の断面図である。
【図１０】    穴の数の少ない断熱シートの斜視図である。
【図１１】    穴の数の多い断熱シートの斜視図である。
【図１２】    湯たんぽ袋の片面の内袋と外袋の間には厚い断熱シートを他方の片面の内袋と外袋の間には綿状の繊維を挿入した湯たんぽ袋の断面図である。
【図１３】    湯たんぽ袋の片面の内袋と外袋の間には薄い断熱シートと綿状の繊維を他方の片面の内袋と外袋の間には厚い断熱シートを挿入した湯たんぽ袋の断面図である。
【図１４】    湯たんぽ袋の片面の内袋と外袋の間には穴のあいた断熱シートと綿状の繊維を他方の片面の内袋と外袋の間には厚い断熱シートを挿入した湯たんぽ袋の断面図である。
【図１５】    発泡樹脂シートとアルミニウム膜からなる断熱シートである。
【考案を実施するための形態】
【０００７】  図２、図３、図６及び図７のように片面の内袋と外袋のみに断熱効果のある例えば発泡樹脂シートとアルミニウム膜からなる断熱シートを挿入した湯たんぽ袋に湯たんぽを入れて使用する場合、就寝前に断熱効果のない面を上にして湯たんぽを布団の中に入れれば、掛け布団側は断熱効果がない面と接しているので、従来の湯たんぽ袋同様に暖められる。就寝直前に湯たんぽ袋に湯たんぽを入れたまま上下を逆転させると、湯たんぽの上面には断熱シートが存在するので、就寝時に足等が湯たんぽ袋に接触しても、一般的な湯たんぽ袋に比べて、低温火傷を起こす危険性は少なくなる。また、図６及び図７のように穴のあいた断熱シートを挿入した湯たんぽ袋の場合、就寝時に湯たんぽの上面に断熱シートがあっても、シートの穴より適度な熱が放出されるので、暖かさも確保される。さらに、図２及び図３のようにシートに穴がなくても、シートの厚みを調節することによって、適度な熱を放出させ、暖かさを確保することは可能である。挿入した綿状の繊維はクッションの働きをする以外に断熱シートの穴から熱が外部に放出される際に熱を周囲に拡散して、穏やかに伝える働きをする。
【０００８】  低温火傷を防ぐことを目的として、図４、図５、図８及び図９のように湯たんぽ袋内に断熱効果の小さい断熱シートと断熱効果の大きい断熱シートを挿入した場合、低温火傷の防止と保温性の両効果をより高いレベルで実現する方を湯たんぽ袋の上面として選択することができる。
【０００９】  図１２、図１３及び図１４のように片面に断熱効果の大きい断熱シートを挿入した湯たんぽ袋では、湯たんぽの熱は他方の面からのみ放出される。この性質を利用して、本考案の湯たんぽ袋に湯たんぽを入れ、それらを座布団のようなさらに大きいカバーの中に熱が放出される面を外部方向に向けて挿入すれば、新しい暖房具として利用できる。
【符号の説明】
【００１０】  １  湯たんぽ袋
２  湯たんぽ出し入れ口
３  紐
４  断熱シート
５  薄い断熱シート
６  厚い断熱シート
７  穴の数が少ない断熱シート
８  穴の数が多い断熱シート
９  綿状の繊維
１０  穴のあいた断熱シート
１１  断熱シートの穴
１２  発泡樹脂シート
１３  アルミニウム膜
１４  内袋
１５  外袋
【図１】
0003152325.tif 000003
【図２】
0003152325.tif 000004
【図３】
0003152325.tif 000005
【図４】
0003152325.tif 000006
【図５】
0003152325.tif 000007
【図６】
0003152325.tif 000008
【図７】
0003152325.tif 000009
【図８】
0003152325.tif 000010
【図９】
0003152325.tif 000011
【図１０】
0003152325.tif 000012
【図１１】
0003152325.tif 000013
【図１２】
0003152325.tif 000014
【図１３】
0003152325.tif 000015
【図１４】
0003152325.tif 000016
【図１５】
0003152325.tif 000017